(57)【要約】【課題】  ユーザがより簡単に画像の印刷位置を調整することができるようにすることを目的とする。【解決手段】  画像形成装置に接続される情報処理装置であって、少なくとも所定の画像を所定の表示領域に表示させ、前記表示領域に表示された前記所定の画像の表示位置をユーザの指示に従って移動させる制御を行う表示制御手段と、前記画像形成装置が画像を記録媒体上に印刷する位置を調整するための値を、前記表示領域における前記所定の画像の表示位置に基づいて設定する設定手段と、前記設定手段によって設定された前記値を前記画像形成装置に送信する送信手段とを有する。【選択図】  図７
2020166750.tif 000002
【特許請求の範囲】
【請求項１】
画像形成装置に接続される情報処理装置であって、
少なくとも所定の画像を所定の表示領域に表示させ、前記表示領域に表示された前記所定の画像の表示位置をユーザの指示に従って移動させる制御を行う表示制御手段と、
前記画像形成装置が画像を記録媒体上に印刷する位置を調整するための値を、前記表示領域における前記所定の画像の表示位置に基づいて設定する設定手段と、
前記設定手段によって設定された前記値を前記画像形成装置に送信する送信手段と
を有することを特徴とする情報処理装置。
【請求項２】
前記所定の画像を含む印刷データを前記画像形成装置に印刷させる指示を行う印刷指示手段を有することを特徴とする請求項１に記載の情報処理装置。
【請求項３】
前記所定の画像を含む印刷データは、前記画像形成装置に格納されていることを特徴とする請求項２に記載の情報処理装置。
【請求項４】
前記表示領域には、前記印刷データの一部に対応するプレビュー画像が表示されることを特徴とする請求項２又は３に記載の情報処理装置。
【請求項５】
前記表示制御手段は、前記印刷データのうちいずれの箇所がプレビューされているのかを識別するための識別情報を含むプレビュー画像を前記表示領域に表示させることを特徴とする請求項４に記載の情報処理装置。
【請求項６】
前記印刷データは、ページの表面に印刷されるべき印刷データであって前記所定の画像を含む第１の印刷データと、前記ページの裏面に印刷されるべき印刷データであって前記所定の画像を含む第２の印刷データとを含み、
前記表示制御手段は、前記第１の印刷データの少なくとも一部のプレビュー画像、及び、前記第２の印刷データの少なくとも一部のプレビュー画像を切り替えて前記表示領域に表示させる制御を行うことを特徴とする請求項１から５のうちいずれか１項に記載の情報処理装置。
【請求項７】
前記表示制御手段は、前記ページの表面に印刷されるべき印刷データが表示されているのか、前記ページの裏面に印刷されるべき印刷データが表示されているのかを区別可能なプレビュー画像を前記表示領域に表示させることを特徴とする請求項６に記載の情報処理装置。
【請求項８】
前記表示制御手段は、前記所定の画像を含む印刷データを前記画像形成装置が印刷した結果に基づいて、前記表示領域に表示される前記所定の画像を移動させるようにユーザに促すためのメッセージを表示させることを特徴とする請求項１から７のうちいずれか１項に記載の情報処理装置。
【請求項９】
前記所定の画像は、目盛りを含む画像であることを特徴とする請求項１から８のうちいずれか１項に記載の情報処理装置。
【請求項１０】
前記表示制御手段は、前記所定の画像の一部又は全部が前記表示領域内に表示されないように、前記所定の画像の表示位置を移動させることが可能であることを特徴とする請求項１から９のうちいずれか１項に記載の情報処理装置。
【請求項１１】
前記表示制御手段は、前記所定の画像の一部又は全部を前記表示領域外に移動させた場合に、前記所定の画像が表示領域外にあることを示す画像を表示させる制御を行うことを特徴とする請求項１から１０のうちいずれか１項に記載の情報処理装置。
【請求項１２】
画像形成装置に接続される情報処理装置の制御方法であって、
少なくとも所定の画像を所定の表示領域に表示させ、前記表示領域に表示された前記所定の画像の表示位置をユーザの指示に従って移動させる制御を行う表示制御ステップと、
前記画像形成装置が画像を記録媒体上に印刷する位置を調整するための値を、前記表示領域における前記所定の画像の表示位置に基づいて設定する設定ステップと、
前記設定ステップにおいて設定された前記値を前記画像形成装置に送信する送信ステップと
を有することを特徴とする制御方法。
【請求項１３】
画像形成装置に接続されるコンピュータに、
少なくとも所定の画像を所定の表示領域に表示させ、前記表示領域に表示された前記所定の画像の表示位置をユーザの指示に従って移動させる制御を行う表示制御手順と、
前記画像形成装置が画像を記録媒体上に印刷する位置を調整するための値を、前記表示領域における前記所定の画像の表示位置に基づいて設定する設定手順と、
前記設定ステップにおいて設定された前記値を前記画像形成装置に送信する送信手順と
を実行させるためのプログラム。
【発明の詳細な説明】
【技術分野】
【０００１】
本発明は、印刷時に使用する用紙情報を管理するための情報処理装置、情報処理装置の制御方法、及び、プログラムに関する。
【背景技術】
【０００２】
従来、画像形成装置と接続される印刷制御装置やクライアントコンピュータ上で動作する用紙管理を行うアプリケーションから、リモートで画像形成装置にアクセスして画像位置の調整操作を行うことが知られている（例えば、特許文献１）。オペレータは、このアプリケーションからテストページの出力指示を行う。オペレータは、出力されたテストページの特定の部分の印刷結果を見る、または測定することで画像位置のずれを把握し、そのずれ量を補正する調整値を前記アプリケーションまたは画像形成装置の操作部などから入力して調整する。
【０００３】
また従来、所定のマークが予め印刷されている用紙に対して、罫線を印刷し、所定のマークと印刷された罫線との位置関係に基づいて、印刷時の画像位置のずれを求める方法が知られている（例えば、特許文献２）。特許文献２には、ユーザが、所定のマークと罫線との距離を定規で計測し、計測結果に基づいて、画像位置のずれを調整することが開示されている。また特許文献２には、複数の罫線に番号を付し、いずれの番号に対応する罫線が基準位置と重なったかをユーザが目視で確認する方法が開示されている。この方法では、基準位置と重なった罫線の番号をユーザが画像形成装置に入力することにより、補正量が設定される。
【先行技術文献】
【特許文献】
【０００４】
【特許文献１】特開２０１８−８６７６６号公報
【特許文献２】特開２０１２−１８３７６７号公報
【発明の概要】
【発明が解決しようとする課題】
【０００５】
従来の方法では、用紙において画像が印刷される位置を調整するために専門の知識やスキルが必要であった。例えば、オペレータが定規を用いてずれ量を確かめる方法では、テストページの測定箇所や、測定結果をどのように装置に入力すればいいのかがわかりにくかった。そのため、教育を受けていないオペレータには調整操作が難しかった。
【０００６】
基準位置と重なった罫線の番号を入力する方法についても同様に、教育を受けていないオペレータではいずれの番号を入力すればよいのかが分からない場合があった。例えば、基準位置に完全に含まれている罫線の番号を採用して入力すればよいのか、あるいは、基準位置に接している罫線の番号を採用して入力すればよいのかが分かりづらかった。
【０００７】
本発明は、ユーザがより簡単に画像の印刷位置を調整することができるようにすることを目的とする。
【課題を解決するための手段】
【０００８】
上記課題を解決するために、以下の実施形態に係る情報処理装置は、以下の構成を有する。すなわち、画像形成装置に接続される情報処理装置であって、少なくとも所定の画像を所定の表示領域に表示させ、前記表示領域に表示された前記所定の画像の表示位置をユーザの指示に従って移動させる制御を行う表示制御手段と、前記画像形成装置が画像を記録媒体上に印刷する位置を調整するための値を、前記表示領域における前記所定の画像の表示位置に基づいて設定する設定手段と、前記設定手段によって設定された前記値を前記画像形成装置に送信する送信手段とを有する。
【発明の効果】
【０００９】
上記の構成によれば、オペレータは、テストページの印刷結果の見た目と、調整画面上のプレビュー表示が一致するようにするだけで、自動的に調整パラメータが設定されるので、より簡単に画像の印刷位置を調整することができる。
【図面の簡単な説明】
【００１０】
【図１】用紙管理システムの構成例を示すブロック図
【図２】画像形成装置１０３のハードウェア、ソフトウェア構成を示すブロック図
【図３】印刷制御装置１０２のハードウェア、ソフトウェア構成を示すブロック図
【図４】実施形態に関する設定値テーブルの例を示す説明図
【図５】実施形態に関する画面例
【図６】実施形態に関する画面例
【図７】実施形態に関する画面例
【図８】実施形態の処理例を示すシーケンス図
【図９】実施形態に関する説明図
【図１０】実施形態の処理例を示すフローチャート
【図１１】実施形態の処理例を示すフローチャート
【図１２】実施形態２に関する画面例
【図１３】実施形態２の処理例を示すフローチャート
【図１４】テストページの表面及び裏面の印刷データの例を示す図
【発明を実施するための形態】
【００１１】
（実施形態１）
本実施形態に係る用紙管理システム１００の全体構成例を図１に示す。図１の用紙管理システム１００は、クライアントコンピュータ１０１、情報処理装置としての印刷制御装置１０２と画像形成装置１０３を備えている。そして、この用紙管理システム１００は、クライアントコンピュータ１０１と通信可能に接続されている。クライアントコンピュータ１０１と印刷制御装置１０２とは、イーサネット（登録商標）ケーブル１０９を使用してＬｏｃａｌ  Ａｒｅａ  Ｎｅｔｗｏｒｋ（ＬＡＮ）１１０を介して通信可能に接続されている。また、印刷制御装置１０２と画像形成装置１０３とは、画像ビデオケーブル１０７及び制御ケーブル１０８を介して接続されている。本実施形態では、画像形成装置１０３は、ＬＡＮ１１０に直接接続されていない。画像形成装置１０３とクライアントコンピュータ１０１とは、印刷制御装置１０２を介して通信する。なお、画像形成装置１０３は、ＬＡＮ１１０に接続されても良い。つまり、画像形成装置１０３は、直接、クライアントコンピュータ１０１と通信可能に接続されていても良い。
【００１２】
クライアントコンピュータ１０１は、アプリケーションを起動させて用紙管理システム１００の操作や、プリンタドライバから印刷指示を行う。印刷制御装置１０２は、アプリケーションを起動させて用紙管理システム１００の操作や、画像形成装置１０３と連携して画像処理を行う。画像形成装置１０３は例えば、複合機であり、クライアントコンピュータ１０１や印刷制御装置１０２からの画像処理を行うだけでなく、１０４のスキャナ部より読み込んだデータをコピーしたり、共有フォルダに送信したりすることが可能である。１０４のスキャナ部で画像を走査する際には、操作部１０５にて各種キーを介して、ユーザから各種指示を受け付ける。また、操作部１０５はパネルを介して、スキャン状態などの各種情報を表示する。排紙部１０６は画像が形成された用紙を受け取って、当該受け取った用紙に対して排紙する。１１１は印刷制御装置１０２の表示装置であり、液晶モニタ等の装置である。１１２は印刷制御装置１０２のキーボード、１１３は印刷制御装置１０２のポインティングデバイスである。１１４はクライアントコンピュータ１０１の表示装置であり、液晶モニタ等の装置である。１１５はクライアントコンピュータ１０１のキーボード、１１６はクライアントコンピュータ１０１のポインティングデバイスである。
【００１３】
本実施形態では、クライアントコンピュータ１０１または印刷制御装置１０２と、画像形成装置１０３の別システムとして用紙管理システム１００を説明した。しかし、クライアントコンピュータ１０１または印刷制御装置１０２の処理を画像形成装置１０３の内部に包含し、クライアントコンピュータ１０１または印刷制御装置１０２を物理的に配置しなくてもよい。また、表示装置１１１がタッチパッドのように、ユーザが指で指定したタッチパッド上の位置に基づいて位置情報を入力する機能を持ち、１１３のポインティングデバイスの機能を兼ねている構成でも良い。
【００１４】
＜画像形成装置＞
図２（Ａ）は画像形成装置１０３のハードウェア構成を示すブロック図である。図２の画像形成装置１０３のブロック図において、コントローラ２００は、画像形成装置１０３を制御し、ＣＰＵ２０１から読取インターフェース２１２によって構成されている。２０１はＣＰＵで、ＲＯＭ２０３または外部記憶装置２１０に記憶された制御プログラムに基づいてシステムバス２０４に接続される各種のデバイスとのアクセスを総括的に制御する。また、印刷インターフェース２０７を介して接続される印刷部（プリンタエンジン）２１３に出力情報としての画像信号を出力し、読取インターフェース２１２を介して接続される読取部（スキャナ）１０４から入力される画像信号を制御する。ＣＰＵ２０１はＬＡＮコントローラ２０６を介して印刷制御装置１０２との通信処理が可能となっている。２０２はＲＡＭで、主としてＣＰＵ２０１の主メモリ、ワークエリア等として機能する。ハードディスク（ＨＤＤ）、ＩＣカード等の外部記憶装置２１０は、ディスクコントローラ（ＤＫＣ）２０８によりアクセスが制御される。ハードディスクは、アプリケーションプログラム、フォントデータ、フォームデータ等を記憶し、プリントジョブを一時的にスプールし、スプールされたジョブを外部から制御するためのジョブ格納領域として使用される。本実施例においては、外部記憶装置としてはＨＤＤを使用する例について説明する。２０５は操作部Ｉ／Ｆで、ユーザが操作部１０５（例としてはソフトウェアキーまたはハードウェアキー）から入力された各種情報を受信し、各種画面表示制御信号を送信する。２０９は不揮発性メモリであり、操作部１０５やネットワークを介して端末から設定される各種設定情報を記憶している。ビデオインターフェース２１１は印刷制御装置１０２から画像データを受信する。
【００１５】
図２（Ｂ）は画像形成装置１０３のソフトウェア構成を示すブロック図である。画像形成装置１０３を制御するシステムソフトウェア２５１は、接続管理ユニット２５２、ネットワーク制御ユニット２５３、ジョブ制御ユニット２５４で構成される。
【００１６】
接続管理ユニット２５２は、クライアントコンピュータ１０１または印刷制御装置１０２上でアプリケーションと画像形成装置１０３間の接続管理を制御するユニットである。接続管理ユニット２５２は、接続中のアプリケーションの接続数を管理し、クライアントコンピュータ１０１または印刷制御装置１０２とやり取りすることが可能である。
【００１７】
ネットワーク制御ユニット２５３は、ＬＡＮコントローラ２０６を介して印刷制御装置１０２との通信処理を制御するユニットである。
【００１８】
ジョブ制御ユニット２５４は、印刷処理シーケンスやジョブの順番など印刷制御するユニットである。
【００１９】
＜印刷制御装置＞
図３（Ａ）は印刷制御装置１０２のハードウェア構成を示すブロック図である。図３の印刷制御装置１０２のブロック図において、コントローラ３００は、印刷制御装置１０２を制御し、ＣＰＵ３０１からビデオインターフェース３０９によって構成されている。３０１はＣＰＵで、ＲＯＭ３０３または外部記憶装置３０９に記憶された制御プログラムに基づいてシステムバス３０４に接続される各種のデバイスとのアクセスを総括的に制御する。また、ＣＰＵ３０１はＬＡＮコントローラ３０６を介して画像形成装置１０３との通信処理が可能となる。ＣＰＵ３０１はＬＡＮコントローラ３０７を介してネットワーク上のクライアントコンピュータ１０１や画像形成装置１０３との通信処理が可能となる。３０２はＲＡＭで、主としてＣＰＵ３０１の主メモリ、ワークエリア等として機能する。ハードディスク（ＨＤＤ）、ＩＣカード等の外部記憶装置３０９は、ディスクコントローラ（ＤＫＣ）３０８によりアクセスが制御される。ハードディスクは、アプリケーションプログラム、フォントデータ、フォームデータ等を記憶し、プリントジョブを一時的にスプールする。スプールされたジョブをＲＩＰ（Ｒａｓｔｅｒ  Ｉｍａｇｅ  Ｐｒｏｃｅｓｓｏｒ）処理し、再度保存するためのジョブ格納領域として使用される。３０５は操作部Ｉ／Ｆで、ユーザが操作部（キーボード１１２、ポインティングデバイス１１３）から入力された各種情報を受信し、表示装置１１１に対する各種画面表示制御信号を送信する。ビデオインターフェース３１０は画像形成装置１０３へＲＩＰ処理した画像データを送信する。
【００２０】
図３（Ｂ）は印刷制御装置１０２のソフトウェア構成を示すブロック図である。印刷制御装置１０２を制御するシステムソフトウェア３５１は、用紙管理操作を行うアプリケーションと、ジョブ管理ユニット３５７で構成される。
【００２１】
用紙管理操作を行うアプリケーションは、ＵＩ制御ユニット３５２、用紙管理ユニット３５３、給紙段管理ユニット３５４、ネットワーク制御ユニット３５５、設定管理ユニット３５６で構成される。
【００２２】
ＵＩ制御ユニット３５２は、用紙管理システムで表示する画面を制御するユニットである。ＵＩ制御ユニット３５２は、システム設定に従い、画面表示文言や用紙サイズの表示単位系の表示を切り替えるように制御することが可能である。
【００２３】
用紙管理ユニット３５３は、画像形成装置１０３と通信を行い、取得した用紙情報を図４の用紙設定管理テーブル４００で管理するユニットである。用紙管理ユニット３５３は、用紙設定管理テーブル４００に対して、用紙情報の編集、追加、削除、検索を行うことが可能である。用紙設定管理テーブル４００は、用紙情報を用紙ＩＤごとに管理するための管理テーブルであり、不揮発領域である外部記憶装置３０９で管理される。
【００２４】
給紙段管理ユニット３５４は、画像形成装置１０３と通信を行い、取得した給紙段情報を図４の給紙段設定管理テーブル４１０で管理するユニットである。給紙段管理ユニット３５４は、給紙段設定管理テーブル４１０に対して、給紙段情報の編集、追加、削除、検索を行うことが可能である。給紙段設定管理テーブル４１０は、給紙段情報を給紙段ＩＤごとに管理するための管理テーブルであり、不揮発領域である外部記憶装置３０９で管理される。
【００２５】
ネットワーク制御ユニット３５５は、ＬＡＮコントローラ３０６を介して画像形成装置１０３、およびＬＡＮコントローラ３０７を介してネットワーク上のクライアントコンピュータ１０１との通信処理を制御するユニットである。ネットワーク制御ユニット３５５は、ＬＡＮコントローラ３０７を介して受信したクライアントコンピュータ１０１の用紙管理システム１００の操作指示を、ＬＡＮコントローラ３０６を介して画像形成装置１０３と送受信する通信処理を制御する。
【００２６】
設定管理ユニット３５６は、用紙管理システムに関するシステム設定を管理するユニットである。システム設定とは、例えば、用紙管理システムの画面表示文言の言語設定や、用紙サイズの表示単位系（ミリまたはインチ）設定であり、不揮発領域である外部記憶装置３０９で管理される。
【００２７】
ジョブ管理ユニット３５７は、印刷処理シーケンスやジョブの順番を管理するユニットである。ジョブ管理ユニット３５７は、印刷制御装置１０２が受信したＰＤＬデータをジョブとして管理し、ＲＩＰ処理し、画像形成装置１０３で読み込み可能なラスターイメージデータ等を生成する。ＰＤＬデータに含まれる印刷指示を解析し、印刷処理に用いられる印刷設定情報を作成する。ＬＡＮコントローラ３０６およびビデオインターフェース３１０を介して画像形成装置１０３へ該画像データ及び印刷処理に用いられる印刷設定情報をデータ転送する。
【００２８】
＜給紙段情報の表示画面＞
図５は用紙管理システムの画面例である。用紙管理システム１００は、印刷制御装置１０２上で動作する。図５のトップ画面５００は、画像形成装置１０３の給紙段の情報を表示する画面である。用紙管理システム１００のトップ画面５００は、ＣＰＵ３０１からの指示に従ってそのビデオメモリに描画すると共に、ＲＡＭ３０２に描画されたイメージデータをビデオ信号として表示装置１１１に出力され、表示される。
【００２９】
トップ画面５００は、印刷制御装置１０２に接続されている、画像形成装置１０３のハードウェアオプションの接続状況を表す。用紙管理システムは起動した時に、画像形成装置１０３のハードウェアオプション情報を取得し、このオプション情報に従い正しい画像を表示する。本実施形態の図５では、給紙装置が５つ（うち一つが手差しトレイ）、排紙装置が接続されている状態を表している。
【００３０】
用紙リストボタン５０１は、用紙リスト画面を表示するための指示を出すボタンである。本実施形態では、ボタン５０１が押下されると、印刷制御装置１０２のコントローラ３００は図５の用紙リスト画面５２０を表示し、用紙リスト画面５２０を最前面に表示する。
【００３１】
５０２から５０６は給紙段ボタンである。用紙管理システムが起動した時に取得した画像形成装置１０３の給紙段の情報を元に、給紙段ボタンを作成して配置する。印刷制御装置１０２のコントローラ３００は、画像形成装置１０３の給紙段の状態変更が発生した場合に、画像形成装置１０３から給紙段状態変更イベントを受信すると、給紙段情報を取得しなおす。用紙カセット１のボタン５０２を、ポインティングデバイス１１３等を用いて押下すると、図６の用紙カセット１の設定画面６００が表示される。
【００３２】
＜用紙リスト画面＞
図５の用紙リスト画面５２０について説明する。用紙リスト画面５２０は、用紙リスト一覧を表示し、用紙の作成、複製、削除、設定変更、および、選択された用紙を給紙段へ登録する操作が可能な画面である。
【００３３】
用紙リスト画面５２０は、ＣＰＵ３０１からの指示に従ってＲＡＭ３０２に描画すると共に、ＲＡＭ３０２に描画されたイメージデータをビデオ信号として表示装置１１１に出力され、表示される。用紙リスト画面５２０には、用紙リスト表示領域と用紙リストの表示方法を選択するプルダウンメニュー、用紙の検索入力エリア、用紙リストへの用紙追加ボタンを表示する。用紙追加ボタンとしては、用紙リストに新規用紙を登録する新規登録ボタン５２１、用紙リストに既存の用紙を複製する複製ボタン５２２、用紙データベースから用紙を作成するデータベースから登録ボタン５２３が表示される。
【００３４】
用紙リスト表示領域は、用紙リストを表示する表である。列に用紙情報を、行に用紙が設定される。用紙を選択して右クリックすると用紙登録コンテキストメニューが表示され、登録可能な給紙段を選択し、選択中の用紙を登録可能である。また、用紙を選択した状態で、削除キーが押下された場合には、用紙リストから選択された用紙を削除することが可能である。
【００３５】
＜給紙段の設定画面＞
図６の用紙カセット１の設定画面６００について説明する。設定画面６００は、ＣＰＵ３０１からの指示に従ってそのＲＡＭ３０２に描画すると共に、ＲＡＭ３０２に描画されたイメージデータをビデオ信号として表示装置１１１に出力され、表示される。設定画面６００には、用紙リスト表示領域と主要な調整項目の調整画面を出すボタン（例えば、画像位置調整のボタン６０１）、ここに表示していない他の用紙情報の設定画面を出すボタン６０２、ＯＫボタン６０３、キャンセルボタン６０４が表示される。用紙リストの表示方法に関しては、用紙リスト５２０と同様のプルダウンメニュー、用紙の検索入力エリアが表示される。
【００３６】
設定画面６００表示時は、用紙リスト表示領域上で給紙段に設定されている用紙が選択状態になっている。用紙リスト表示領域で用紙を選択し、ＯＫボタン６０３を押下すると、コントローラ３００は、画像形成装置１０３に対して用紙設定を行う。用紙リスト表示領域で用紙を選択し、キャンセルボタン６０４を押下すると、コントローラ３００は、画像形成装置１０３に対して用紙設定を行わず、設定画面６００を閉じる。図５のトップ画面５００にある給紙段ボタン５０２を押下して、設定画面６００が開いた時には、用紙カセット１に現在割り当てられている用紙の情報を表示する。
【００３７】
設定画面６００では、オペレータの利便性向上のために、本実施形態では、一例として、オペレータが頻繁に利用する用紙情報のみを表示している。具体的には、用紙の名称と各種調整項目（画像位置調整、二次転写電圧の調整、カール補正量、光沢性／黒品位の調整、後端部白抜け補正、中綴じ設定、用紙ファンの風量調整）を表示する。
【００３８】
画像位置調整は、画像形成装置画像１０３が画像を記録媒体（用紙）上に印刷する位置を調整するための項目である。本実施形態では、画像位置調整として、ページの表面と裏面のそれぞれについて、画像位置を調整することができる。また、本実施形態では、画像位置の調整値として、用紙の下端から画像描画領域までの長さの増減量（以下、下端からの移動量と表現する場合がある）を設定することができる。また、本実施形態では、画像位置の調整値として、用紙の左端から画像描画領域までの長さの増減量（以下、左端からの移動量と表現する場合がある）を設定することができる。ここで、本実施形態における用紙の下端とは、用紙の搬送方向における用紙の後端側（用紙搬送の上流側）のエッジのことをいう。また、本実施形態における用紙の左側とは、用紙の搬送方向を向いた場合の用紙の左側のエッジのことをいう。これに限らず、用紙の搬送方向における用紙の先端側（用紙搬送の下流側）のエッジや用紙の搬送方向を向いた場合の用紙の右側のエッジから、画像描画領域までの長さを設定できることとしてもよい。また、調整量（増減量）で指定するのではなく、幅の長さ（絶対値）で指定することとしてもよい。調整値の指定の仕方は特に限定しない。
【００３９】
設定画面６００では、現在選択されている用紙名称と、各種調整値が画像形成装置１０３の初期値から変更されているか否かを表示している。変更されていない場合には、調整なしと表示する。変更されている場合は、調整ありと表示する。印刷制御装置１０２から調整可能な項目については、画像位置調整のボタン６０１のようにボタンを表示し、対応する調整画面を表示できるようにしている。
【００４０】
＜画像位置の調整画面＞
図７（Ａ）の画像位置の調整画面７００について説明する。画像位置の調整画面７００は、用紙の表面、裏面に対する印字位置（本実施形態では下端、左端からの移動量を対象）を変える調整項目の編集を行うための画面である。表示領域７２７にはテストページの印刷データの一部に対応するプレビュー画像が表示される。ただし、テストページの全体が表維持領域７２７に表示されることとしてもよい。表示領域７２７には、下端目盛図形７０５、及び、左端目盛図形７０８の少なくともいずれかが表示される。また表示領域７２７には、テストページの印刷データを画像形成装置１０３が印刷した結果に基づいて、表示領域に表示されるプレビュー画像を移動させるようにユーザに促すためのメッセージを表示させる。
【００４１】
オペレータは、プレビュー画像の表示領域７２７における所定の画像（下端目盛図形７０５、及び、左端目盛図形７０８）の表示位置を移動させる操作を行う。そして、表示領域７２７における下端目盛図形７０５、及び、左端目盛図形７０８の見え方が、出力したテストページの表面の印字結果に一致するように操作する。画像形成装置１０３は、ユーザの操作に従って、所定の画像の表示位置を移動させる表示制御を行う。このような操作を行うことにより、ページ表面の画像の調整値を設定することができる。すなわち、印刷制御装置１０２は、画像形成装置１０３が画像を記録媒体上に印刷する位置を調整するための値を、表示領域７２７における所定の画像の表示位置に基づいて設定する。設定された値は、画像形成装置１０３に送信される。画像形成装置は、印刷制御装置１０２から受信した設定値に基づいて、画像印刷位置を調整する。裏面についても同様にして画像位置を調整することができる。テストページについては図１４（Ａ）及び（Ｂ）を用いて後述する。
【００４２】
画像位置の調整画面７００は、ＣＰＵ３０１からの指示に従ってそのＲＡＭ３０２に描画すると共に、ＲＡＭ３０２に描画されたイメージデータをビデオ信号として表示装置１１１に出力され、表示される。画像位置の調整画面７００には、テストページの出力ボタン７０１、表面ボタン７０２、裏面ボタン７０３、ＯＫボタン７２３、キャンセルボタン７２４、適用ボタン７２５が表示される。さらに、画像位置の調整画面７００には、目盛図形を使った調整手段を構成する７０４〜７１０、印字結果から計測した移動量を数値入力する調整手段を構成する７１１〜７２２が表示される。
【００４３】
目盛図形を使った調整手段として、画像位置の調整画面７００には、プレビュー画像７０４、下端目盛図形７０５、左ボタン７０６、右ボタン７０７、左端目盛図形７０８、上ボタン７０９、下ボタン７１０が表示される。
【００４４】
ユーザは、左ボタン７０６、右ボタン７０７、上ボタン７０９、及び、下ボタン７１０を走査して、目盛図形の一部又は全部が表示領域内に表示されないように、目盛図形の表示位置を移動させることが可能である。目盛図形の移動方法はこれに限らず、目盛図形あるいはプレビュー画像７０４のドラックアンドドロップ操作や、タッチ操作による移動によって移動させることとしてもよい。
【００４５】
プレビュー画像７０４における「ｅ」や「ｉ」及び矢印は、テストページの印刷データのうちいずれの箇所がプレビューされているのかを識別するための識別情報である。印字結果から計測したずれ量を数値入力する調整手段として、画像位置の調整画面７００には、表面の数値入力欄、裏面の数値入力欄が表示される。表面の数値入力欄として、下端からの移動量ｅに対応する入力欄７１１、−ボタン７１２、＋ボタン７１３、左端からの移動量ｉに対応する入力欄７１４、−ボタン７１５、＋ボタン７１６が表示される。裏面の数値入力欄として、下端からの移動量ｅに対応する入力欄７１７、−ボタン７１８、＋ボタン７１９、左端からの移動量ｉに対応する入力欄７２０、−ボタン７２１、＋ボタン７２２が表示される。
【００４６】
テストページの出力ボタン７０１は、調整用のテストページの出力画面７４０を表示するための指示を出すボタンである。本実施形態では、テストページの出力ボタン７０１がクリックされると、印刷制御装置１０２のコントローラ３００は図７（Ｂ）のテストページの出力画面７４０を最前面に表示する。そして出力画面７４０のプリントボタン７４５が選択されると、テストページを画像形成装置１０３に印刷させる印刷指示を行う。
【００４７】
ここで、画像形成装置１０３の外部記憶装置２１０には、図１４（Ａ）及び（Ｂ）に示すテストページの印刷データが記憶されている。図１４（Ａ）は、表面用のテストページの印刷データ（第１の印刷データ）の例である。また図１４（Ｂ）は裏面用のテストページ（第２の印刷データ）の印刷データの例である。
【００４８】
画像形成装置１０３は、印刷制御装置１０２からテストページの印刷指示を受け付けると、外部記憶装置２１０からテストページの印刷データを読み出して、印刷を実行する。テストページの印刷データには、画像調整を行うために用いる画像として、目盛１４０１及び目盛１４０２が含まれている。オペレータはこれらの目盛１４０１及び１４０２の印刷結果を確認して、画像位置調整を行うことができる。本実施形態では、テストページの印刷データは画像形成装置１０３が保持している例について説明するが、これに限らない。印刷制御装置１０２にテストページの印刷データが格納されており、ユーザによるテストページの印刷指示に従って、印刷制御装置１０２がテストページの印刷データを画像形成装置１０３に送信することとしてもよい。
【００４９】
表面ボタン７０２とは、目盛図形を使った調整手段の入力、およびプレビュー画像７０４の表示を表面用に切り替えるボタンである。本実施形態では、表面ボタン７０２がクリックされると、印刷制御装置１０２のコントローラ３００はプレビュー画像７０４を表面用の画像に切りかえる。また、画像位置の調整画面７００で保持している表面用の表示位置に従い、下端目盛図形７０５、左端目盛図形の目盛の位置を変更して、表示を更新する。さらに、裏面ボタン７０３の選択状態を解除し、表面ボタン７０２を選択状態にすることで、表面が選択されていることを示すようにする。
【００５０】
裏面ボタン７０３とは、目盛図形を使った調整手段の入力、およびプレビュー画像７０４の表示を裏面用に切り替えるボタンである。本実施形態では、裏面ボタン７０３がクリックされると、印刷制御装置１０２のコントローラ３００はプレビュー画像７０４を裏面用の画像に切りかえる。また、画像位置の調整画面７００で保持している裏面用の表示位置に従い、下端目盛図形７０５、左端目盛図形の目盛の位置を変更して、表示を更新する。さらに、表面ボタン７０２の選択状態を解除し、裏面ボタン７０３を選択状態にすることで、裏面が選択されていることを示すようにする。
【００５１】
プレビュー画像７０４とは、テストページの出力ボタン７０１で出力するテストページの特徴をプレビュー表示する領域である。本実施形態では、印刷制御装置１０２のコントローラ３００はプレビュー画像７０４として、下端と左端目盛の確認箇所を示す記号（ｅ，ｉや罫線の一部）、および入力移動量の＋、−方向を示す図形を特徴として表示する。また、印刷制御装置１０２のコントローラ３００は、表面ボタン７０２が選択状態の場合には、表面、裏面を識別する情報として、表面マーク７２６をプレビュー画像７０４に重ねて表示する。このようにして、ページの表面に印刷されるべき印刷データが表示されているのか、ページの裏面に印刷されるべき印刷データが表示されているのかを区別可能なプレビュー画像を表示領域７０４に表示させることができる。
【００５２】
下端目盛図形７０５とは、テストページに印字された下端目盛と一致するように左ボタン７０６、右ボタン７０７で移動させる図形である。表示する目盛としては、例えば図９（Ａ）の目盛９００を表示する。図７（Ａ）及び（Ｂ）の例では、下端目盛図形７０５及び下端目盛図形７０８を拡大表示する例を示しているが、拡大表示することは必須の構成ではない。
【００５３】
なお、目盛は図９（Ａ）の目盛９００に限定されることなく、出力したテストページと画像位置の調整画面７００を比較して見た目を一致できるような特徴を含む目盛であればよい。例えば図９（Ｂ）の目盛９１０であってもよい。本実施形態では、画像位置の調整画面７００を表示したときの初期位置として、図７（Ａ）に示すように目盛９００の中央線９０１がテストページの下端と一致している状態で表示する（つまり、現在の移動量ｅが０．０ｍｍの状態）である。左ボタン７０６を１回クリックすると、下端目盛図形７０５の目盛９００は、０．１ｍｍ分だけ左に移動し、入力欄７１１（裏面選択時は入力欄７１７）の現在の移動量ｅを０．１だけ加算する。右ボタン７０７を１回クリックすると、下端目盛図形７０５の目盛９００は０．１ｍｍ分だけ右に移動し、入力欄７１１（裏面選択時は入力欄７１７）の現在の移動量ｅを０．１だけ減算する。
【００５４】
ここで図１０（Ａ）のフローチャートを用いて、下端目盛図形７０５の右ボタン７０７をクリックしたときの処理を説明する。
【００５５】
ステップＳ１０００において、印刷制御装置１０２のコントローラ３００は、表面ボタン７０２が選択状態かどうか判断し、表面か裏面の処理を行うか判断する。表面が選択状態の場合、ステップＳ１００１へ処理を進める。表面が選択されていない場合、ステップＳ１００６へ処理を進める。
【００５６】
ステップＳ１００１において、印刷制御装置１０２のコントローラ３００は、現在の下端からの移動量ｅ（オモテ）が最小値より大きいか判断する。最小値より大きい場合、ステップＳ１００２へ処理を進める。最小値以下の場合、ステップＳ１００３へ処理を進める。
【００５７】
ステップＳ１００２において、印刷制御装置１０２のコントローラ３００は、現在の下端からの移動量ｅ（オモテ）を０．１だけ減算する。
【００５８】
ステップＳ１００３において、印刷制御装置１０２のコントローラ３００は、現在の下端からの移動量ｅ（オモテ）が画像形成装置として処理可能な最小値以下なので、最小値を設定する。
【００５９】
ステップＳ１００４において、印刷制御装置１０２のコントローラ３００は、下端目盛図形７０５の目盛９００の描画位置を更新する。具体的には、下端目盛図形７０５の目盛９００は０．１ｍｍ分だけ右に移動するように制御する。本実施形態では、下端目盛図形７０５の描画原点Ｘ座標−現在の下端からの移動量ｅ（オモテ）、下端目盛図形７０５の描画原点Ｙ座標に描画を行う。
【００６０】
ステップＳ１００５において、印刷制御装置１０２のコントローラ３００は、入力欄７１１の現在の下端からの移動量ｅ（オモテ）を表示する。
【００６１】
ステップＳ１００６〜ステップＳ１０１０においては、裏面が選択されている状態で現在の下端からの移動量ｅ（ウラ）を制御する以外はステップＳ１００１〜ステップＳ１００５と処理の流れは同じであるため、説明を省略する。
【００６２】
次に図１０（Ｂ）のフローチャートを用いて、下端目盛図形７０５の左ボタン７０６をクリックしたときの処理を説明する。
【００６３】
ステップＳ１０２０において、印刷制御装置１０２のコントローラ３００は、表面ボタン７０２が選択状態かどうか判断し、表面か裏面の処理を行うか判断する。表面が選択状態の場合、ステップＳ１０２１へ処理を進める。表面が選択されていない場合、ステップＳ１０２６へ処理を進める。
【００６４】
ステップＳ１０２１において、印刷制御装置１０２のコントローラ３００は、現在の下端からの移動量ｅ（オモテ）が最大値より小さいか判断する。最大値より小さい場合、ステップＳ１０２２へ処理を進める。最大値以上の場合、ステップＳ１０２３へ処理を進める。
【００６５】
ステップＳ１０２２において、印刷制御装置１０２のコントローラ３００は、現在の下端からの移動量ｅ（オモテ）を０．１だけ加算する。
【００６６】
ステップＳ１０２３において、印刷制御装置１０２のコントローラ３００は、現在の下端からの移動量ｅ（オモテ）が画像形成装置として処理可能な最大値以上なので、最大値を設定する。
【００６７】
ステップＳ１０２４において、印刷制御装置１０２のコントローラ３００は、下端目盛図形７０５の目盛９００の描画位置を更新する。具体的には、下端目盛図形７０５の目盛９００は０．１ｍｍ分だけ左に移動するように制御する。本実施形態では、下端目盛図形７０５の描画原点Ｘ座標−現在の下端からの移動量ｅ（オモテ）、下端目盛図形７０５の描画原点Ｙ座標に描画を行う。
【００６８】
ステップＳ１０２５において、印刷制御装置１０２のコントローラ３００は、入力欄７１１の現在の下端からの移動量ｅ（オモテ）を表示する。
【００６９】
ステップＳ１０２６〜ステップＳ１０３０においては、裏面が選択されている状態で現在の下端からの移動量ｅ（ウラ）を制御する以外はステップＳ１０２１〜ステップＳ１０２５と処理の流れは同じであるため、説明を省略する。
【００７０】
ここから図５の説明に戻る。左端目盛図形７０８とは、テストページに印字された左端目盛と一致するように上ボタン７０９、下ボタン７１０で移動させる図形である。表示する目盛としては、例えば図９（Ａ）の目盛９００を表示する。本実施形態では、画像位置の調整画面７００を表示したときの初期位置として、図７（Ａ）に示すように目盛９００の中央線がテストページの下端と一致している状態で表示する（つまり、現在の移動量ｉが０．０ｍｍの状態）である。上ボタン７０９を１回クリックすると、左端目盛図形７０８の目盛９００は、０．１ｍｍ分だけ上に移動し、入力欄７１４（裏面選択時は入力欄７２０）の現在の移動量ｉを０．１だけ減算する。下ボタン７１０を１回クリックすると、左端目盛図形７０８の目盛９００は０．１ｍｍ分だけ下に移動し、入力欄７１４（裏面選択時は入力欄７２０）の現在の移動量ｉを０．１だけ加算する。
【００７１】
ここで図１１（Ａ）のフローチャートを用いて、左端目盛図形７０８の上ボタン７０９をクリックしたときの処理を図１０からの差分のみに着目して説明する。
【００７２】
ステップＳ１１００〜ステップＳ１１１０においては、現在の左端からの移動量ｉを制御し、描画更新の座標が異なる以外はステップＳ１０００〜Ｓ１０１０と同じである。よって、フローの詳細説明は省略する。
【００７３】
次に図１１（Ｂ）のフローチャートを用いて、左端目盛図形７０８の下ボタン７１０をクリックしたときの処理を図１０からの差分のみに着目して説明する。
【００７４】
ステップＳ１１２０〜ステップＳ１１３０においては、現在の左端からの移動量ｉを制御し、描画更新の座標が異なる以外はステップＳ１０２０〜Ｓ１０３０と同じである。よって、フローの詳細説明は省略する。
【００７５】
ここから図５の説明に戻る。入力欄７１１とは、表面の下端からの移動量ｅを入力するための入力欄である。本実施形態では、印刷制御装置１０２のコントローラ３００はキーボード１１２で入力された数値、または−ボタン７１２、＋ボタン７１３によって入力された数値を入力として受け付ける。＋ボタン７１３が１回クリックされると、表面の下端目盛図形７０５の目盛９００は０．１ｍｍ分だけ左に移動し、入力欄７１１の現在の移動量ｅを０．１だけ加算する。−ボタン７１２を１回クリックすると、下端目盛図形７０５の目盛９００は０．１ｍｍ分だけ右に移動し、入力欄７１１の現在の移動量ｅを０．１だけ減算する。
【００７６】
入力欄７１４とは、表面の左端からの移動量ｉを入力するための入力欄である。実施形態では、印刷制御装置１０２のコントローラ３００はキーボード１１２で入力された数値、または−ボタン７１５、＋ボタン７１６によって入力された数値を入力として受け付ける。入力欄７１４の入力に連動して、左端目盛図形７０８が移動する処理としては、入力欄７１１と基本処理は同じため説明は省略する。
【００７７】
入力欄７１７とは、裏面の下端からの移動量ｅを入力するための入力欄である。実施形態では、印刷制御装置１０２のコントローラ３００はキーボード１１２で入力された数値、または−ボタン７１８、＋ボタン７１９によって入力された数値を入力として受け付ける。入力欄７１７の入力に連動して、下端目盛図形７０５が移動する処理としては、入力欄７１１と基本処理は同じため説明は省略する。
【００７８】
入力欄７２０とは、表面の左端からの移動量ｉを入力するための入力欄である。実施形態では、印刷制御装置１０２のコントローラ３００はキーボード１１２で入力された数値、または−ボタン７２１、＋ボタン７２２によって入力された数値を入力として受け付ける。入力欄７２０の入力に連動して、左端目盛図形７０８が移動する処理としては、入力欄７１１と基本処理は同じため説明は省略する。
【００７９】
ＯＫボタン７２３とは、画像位置の調整画面７００で入力された調整内容を画像形成装置１０３へ用紙設定し、画像位置の調整画面７００を閉じるためのボタンである。
【００８０】
キャンセルボタン７２４とは、画像形成装置１０３に対して用紙設定を行わず、画像位置の調整画面７００を閉じるためのボタンである。
【００８１】
適用ボタン７２５とは、画像位置の調整画面７００を閉じずに、画像位置の調整画面７００で入力された調整内容を画像形成装置１０３へ用紙設定するためのボタンである。本実施形態では、印刷制御装置１０２のコントローラ３００は、現状の設定内容から差異が発生した場合のみ、適用ボタン７２５をクリックできるように制御する。
【００８２】
＜テストページの出力画面＞
図７（Ｂ）のテストページの出力画面７４０について説明する。テストページの出力画面７４０は、ＣＰＵ３０１からの指示に従ってそのＲＡＭ３０２に描画すると共に、ＲＡＭ３０２に描画されたイメージデータをビデオ信号として表示装置１１１に出力され、表示される。テストページの出力画面７４０には、テストページを印刷するための給紙箇所を示す領域７４１と、部数入力部７４２、部数をカウントダウンするボタン７４３、カウントアップする７４４をもっている。部数入力部７４２は、例えば１〜１０部まで指定可能とする。部数入力部７４２が１部に達した場合は、ボタン７４３をグレーアウトする。部数入力部７４２が１０部に達した場合は、ボタン７４４をグレーアウトする。テストページの出力指示を出すプリントボタン７４５、キャンセルボタン７４６が表示される。
【００８３】
実施形態１である印刷制御装置１０２と画像形成装置１０３の処理について、図８を用いて説明する。これから説明する印刷制御装置１０２のプログラムは、図３の外部記憶装置３０９に格納されており、ＲＡＭ３０２に読み出されＣＰＵ３０１によって実行される。本実施形態では、オペレータが、印刷制御装置１０３上でアプリケーションを起動し、画像形成装置１０３に対して、用紙カセット１に用紙をセットし、画像位置調整として表面の下端からの移動量ｅを調整する例を説明する。
【００８４】
＜用紙管理操作を行うアプリケーションの起動処理＞
用紙管理操作を行うアプリケーションは、図３の外部記憶装置３０９に格納されており、ＲＡＭ３０２に読み出されＣＰＵ３０１によって実行される。用紙管理システム１００が起動すると、印刷制御装置１０２のコントローラ３００は、接続先入力画面を生成し、表示する。
【００８５】
印刷制御装置１０２のコントローラ３００は、接続先入力画面で入力されたＩＰアドレスに対応する印刷制御装置に接続する。
【００８６】
印刷制御装置１０２のコントローラ３００は、画像形成装置１０３と通信を行い、画像形成装置のモデル判別や接続されている給紙段情報、用紙リスト情報を取得する。例えば、ここで取得する給紙段情報は給紙段名称、給紙段ＩＤ、給紙段の用紙残量とする。コントローラ３００は、給紙段管理ユニット３５４を制御して、取得した給紙段情報を給紙段管理テーブル４１０へ書き込む。用紙情報とは、例えば、用紙名称や印刷に必要なパラメータ（用紙の坪量やサイズ等や、画像位置調整等の設定値）、設定可能な給紙段ＩＤである。用紙リスト情報を取得したら、コントローラ３００は、用紙管理ユニット３５３を制御して、取得した用紙情報を用紙設定管理テーブル４００へ書き込む。
【００８７】
印刷制御装置１０２のコントローラ３００は、前記情報に基づき、図５のトップ画面５００、用紙リスト画面５２０を生成する。
【００８８】
＜用紙設定〜画像位置調整までの操作フロー＞
オペレータが用紙の設定変更および印刷を行う一連の流れについて図８を用いて説明する。
【００８９】
ステップＳ８０１において、オペレータは用紙管理システム１００のトップ画面５００の用紙カセット１ボタン５０２をクリックする。
【００９０】
ステップＳ８０２において、印刷制御装置１０２のコントローラ３００は、ＵＩ制御ユニット３５２に対して、用紙管理ユニット３５３から用紙設定管理テーブル４００取得するように制御する。また、給紙段管理ユニット３５４から給紙段設定管理テーブル４１０を取得するように制御する。コントローラ３００は、ＵＩ制御ユニット３５２に対して、取得した用紙リストおよび給紙段情報に従い、用紙カセット１の設定画面６００を作成するように制御する。
【００９１】
ステップＳ８０３において、印刷制御装置１０２のコントローラ３００は、ＵＩ制御ユニット３５２に対して表示装置１１１へ設定画面６００を表示するように制御する。
【００９２】
ステップＳ８０４において、オペレータは、設定画面６００において、印刷で使う用紙を選択し、ＯＫボタン６０３をクリックする。
【００９３】
ステップＳ８０５において、印刷制御装置１０２のコントローラ３００は、用紙管理ユニット３５３に対して、選択中の用紙に対応する用紙設定管理テーブル４００の情報を用紙カセット１に登録するための用紙設定指示を作成するように制御する。コントローラ３００は、ネットワーク制御ユニット３５５に対して、ＬＡＮコントローラ３０６を制御して制御ケーブル１０８を経由して画像形成装置１０３へ用紙設定指示を送信する。
【００９４】
ステップＳ８０６において、画像形成装置１０３のコントローラ２００は、ＬＡＮコントローラ２０６で用紙設定指示を受信すると、指定された給紙段（ここでは用紙カセット１）に対して、受信した用紙の用紙情報を設定するように制御する。
【００９５】
ステップＳ８０７において、印刷制御装置１０２のコントローラ３００は、ＵＩ制御ユニット３５２に対して、設定画面６００を閉じるように制御する。
【００９６】
ステップＳ８０８において、オペレータは、画像形成装置１０３の用紙カセット１を開け、用紙の紙束をセットする。オペレータは、用紙カセット１を閉じる。
【００９７】
ステップＳ８０９において、オペレータは用紙管理システムのトップ画面５００の用紙カセット１ボタン５０２をクリックする。
【００９８】
ステップＳ８１０，Ｓ８１１についてはステップＳ８０２と同じであるため説明を省略する。
【００９９】
ステップＳ８１２において、オペレータは設定画面６００の画像位置調整ボタン６０１をクリックする。
【０１００】
ステップＳ８１３において、印刷制御装置１０２のコントローラ３００は、ＵＩ制御ユニット３５２に対して、画像位置の調整画面７００を作成するように制御する。
【０１０１】
ステップＳ８１４において、印刷制御装置１０２のコントローラ３００は、ＵＩ制御ユニット３５２に対して、画像位置の調整画面７００を表示するように制御する。
【０１０２】
ステップＳ８１５において、オペレータは画像位置の調整画面７００のテストページの出力ボタン７０１をクリックする。
【０１０３】
ステップＳ８１６において、印刷制御装置１０２のコントローラ３００は、ＵＩ制御ユニット３５２に対して、給紙箇所が用紙カセット１であるテストページの出力画面７４０を作成するように制御する。
【０１０４】
ステップＳ８１７において、印刷制御装置１０２のコントローラ３００は、ＵＩ制御ユニット３５２に対して、テストページの出力画面７４０を表示するように制御する。
【０１０５】
ステップＳ８１８において、オペレータは部数入力部７４２を１部に設定して、プリントボタン７４５をクリックする。
【０１０６】
ステップＳ８１９において、印刷制御装置１０２のコントローラ３００は、用紙管理ユニット３５３に対して、用紙カセット１にセットされている用紙の現在の調整値（表面、裏面の移動量ｅ，ｉ）を画像形成装置１０３へ設定するように制御する。
【０１０７】
ステップＳ８２０において、画像形成装置１０３のコントローラ２００は、受信した調整値を設定するように制御する。
【０１０８】
ステップＳ８２１において、印刷制御装置１０２のコントローラ３００は、ＵＩ制御ユニット３５２に対して、画像形成装置１０３へテストページ出力指示をするように制御する。出力指示には、給紙箇所として用紙カセット１、部数指定として１部、用紙カセット１に設定されている用紙ＩＤを指示含めるものとする。
【０１０９】
ステップＳ８２２において、画像形成装置１０３のコントローラ２００は、受信したテストページ出力指示に従い、指定された給紙段、用紙ＩＤをキーに参照される調整値（表面、裏面の移動量ｅ、ｉ）に基づきテストページを印刷する。ここでは、画像形成装置１０３が、テストページの印刷データを内蔵しているものとする。画像形成装置１０３のコントローラ２００は、ジョブ管理ユニット２５４に対して、受信した出力指示に基づき、印刷インターフェース２０７を介して接続されるプリントエンジン２１３に印刷データの画像信号を出力し印刷するように制御する。
【０１１０】
ステップＳ８２３において、印刷制御装置１０２のコントローラ３００は、ＵＩ制御ユニット３５２に対して、テストページの出力画面７４０を閉じるように制御する。
【０１１１】
ステップＳ８２４において、オペレータは出力されたテストページを画像形成装置の排紙部へ取りに行く。
【０１１２】
ステップＳ８２５において、オペレータは下端目盛図形７０５を、出力したテストページの表面の印字結果に一致するように左ボタン７０６、右ボタン７０７をクリックすることで移動する。
【０１１３】
ステップＳ８２６において、印刷制御装置１０２のコントローラ３００は、右ボタン７０７のクリックを検知すると、ＵＩ制御ユニット３５２に対して、表面の下端からの移動量ｅを更新するように制御する。
【０１１４】
ステップＳ８２７において、印刷制御装置１０２のコントローラ３００は、ＵＩ制御ユニット３５２に対して、画像位置の調整画面７００を更新するように制御する。この時、下端目盛図形７０５、左端目盛図形７０８、入力欄７１１、７１４、７１７、７２０には、現在の入力結果を反映した状態にする。
【０１１５】
ステップＳ８２８において、オペレータは調整結果を確認するため、画像位置の調整画面７００のテストページの出力ボタン７０１をクリックする。
【０１１６】
ステップＳ８２９、Ｓ８３０は、ステップＳ８１６、Ｓ８１７と同じであるため説明は省略する。
【０１１７】
ステップＳ８３１において、オペレータは部数入力部を１部に設定して、プリントボタン７４５をクリックする。
【０１１８】
ステップＳ８３２において、印刷制御装置１０２のコントローラ３００は、用紙管理ユニット３５３に対して、画像位置の調整画面７００で現在の入力されている調整値（表面、裏面の移動量ｅ、ｉ）を画像形成装置１０３へ設定するように制御する。
【０１１９】
ステップＳ８３３〜Ｓ８３７は、ステップＳ８２０〜Ｓ８２４と同じであるため説明は省略する。
【０１２０】
ステップＳ８３８において、オペレータは画像位置の調整画面７００のＯＫボタン７２３をクリックする。
【０１２１】
ステップＳ８３９、Ｓ８４０は、ステップＳ８１９、Ｓ８２０と同じであるため説明は省略する。
【０１２２】
ステップＳ８４１において、印刷制御装置１０２のコントローラ３００は、ＵＩ制御ユニット３５２に対して、画像位置の調整画面７００を閉じるように制御する。
【０１２３】
以上、用紙カセット１に用紙をセットして、画像位置調整を行う一連の流れについて説明した。これによって、オペレータは、テストページの印刷結果の見た目と、調整画面上のプレビューが一致するようにすることで、自動的に調整パラメータが設定され、より簡単に印字位置を調整することができるようになる。
【０１２４】
なお、本実施形態は、印刷制御装置１０２上で動くアプリケーションとして説明をするが、クライアントコンピュータ１０１でも同様の仕組みで制御されるものとする。また、クライアントコンピュータ１０１および印刷制御装置１０２上で動くアプリケーションとして説明をするが、アプリケーションに限定されるものではない。画像形成装置１０３において同様の仕組みを実施する形態でもよい。
【０１２５】
（実施形態２）
実施形態１において、下端目盛図形７０５や左端目盛図形７０８で目盛９００の描画範囲は、画像形成装置１０３の処理可能な値域よりも狭い場合がある。その場合、右ボタン７０７をクリックし続けていくと、下端目盛図形７０５の目盛９００が描画範囲外になってしまい、下端目盛図形７０５で目盛９００が確認できなくなってしまう。そのため、オペレータは下端目盛図形７０５から現在の移動量の状態を把握しづらくなってしまう。そこで、本実施形態では、下端目盛図形７０５、左端目盛図形７０８の目盛９００が描画範囲外になる場合、範囲外であることが識別できるような図形を表示できるようにする。
【０１２６】
本実施形態に係るハードウェア構成、及び、ソフトウェア構成は実施形態１と同様であるため、説明を省略する。
【０１２７】
本実施形態の処理について、下端目盛図形７０５に対して、右ボタン７０７をクリックしたときの処理を一例に図１３を用いて説明する。なお、図１０と処理が同じ部分については説明を省略する。
【０１２８】
ステップＳ１３００〜Ｓ１３０４については、ステップＳ１０００〜Ｓ１００４と同じであるため、説明を省略する。
【０１２９】
ステップＳ１３０５において、印刷制御装置１０２のコントローラ３００は、ステップＳ１３０４で算出した下端目盛図形位置が描画範囲の最小位置より大きいかどうか判断する。Ｓ１３０４で算出した下端目盛図形位置が描画範囲の最小位置より大きい場合、ステップＳ１３０６へ処理を進める。Ｓ１３０４で算出した下端目盛図形位置が描画範囲の最小位置以下である場合、ステップＳ１３０７に処理を進める。
【０１３０】
ステップＳ１３０６において、印刷制御装置１０２のコントローラ３００は、ＵＩ制御ユニット３５２に対して、描画範囲内であることが識別できるような図形を表示する。本実施形態では、図５の下端目盛図形７０５を表示するように制御する。
【０１３１】
ステップＳ１３０７において、印刷制御装置１０２のコントローラ３００は、ＵＩ制御ユニット３５２に対して、表示領域外であることが識別できるような図形を表示する。本実施形態では、図１２の下端目盛図形１２０１を表示するように制御する。
【０１３２】
ステップＳ１３０８については、ステップＳ１００５と同じであるため、説明を省略する。
【０１３３】
ステップＳ１３０９〜ステップＳ１３１２については、ステップＳ１００６〜Ｓ１００９と同じであるため、説明を省略する。
【０１３４】
ステップＳ１３１３〜ステップＳ１３１５については、ステップＳ１３０５〜Ｓ１３０７と同じであるため、説明を省略する。
【０１３５】
ステップＳ１３１６については、ステップＳ１０１０と同じであるため、説明を省略する。
【０１３６】
なお、説明では描画範囲の最小位置以下のケースで下端目盛図形１２０１を表示するようにしたが、最大位置以上と最小位置以上を区別できるように別々の図形を表示するようにしてもよい。
【０１３７】
以上、下端目盛図形７０５、左端目盛図形７０８の目盛９００が描画範囲外になる場合、範囲外であることが識別できるような図形を表示できるようにする一連の流れについて説明した。これによって、オペレータは下端目盛図形７０５から現在の移動量の状態を把握しやすくなる。
【符号の説明】
【０１３８】
１００  用紙管理システム
１０１  クライアントコンピュータ
１０２  印刷制御装置
１０３  画像形成装置
７００  画像位置の調整画面
７０４  プレビュー画像
７０５  下端目盛図形
７０８  左端目盛図形
【図１】
2020166750.tif 000003
【図２】
2020166750.tif 000004
【図３】
2020166750.tif 000005
【図４】
2020166750.tif 000006
【図５】
2020166750.tif 000007
【図６】
2020166750.tif 000008
【図７】
2020166750.tif 000009
【図８】
2020166750.tif 000010
【図９】
2020166750.tif 000011
【図１０】
2020166750.tif 000012
【図１１】
2020166750.tif 000013
【図１２】
2020166750.tif 000014
【図１３】
2020166750.tif 000015
【図１４】
2020166750.tif 000016